(57)【要約】ＳＴ１では、光記録装置の装置識別情報が光記録媒体に記録されているか否かを識別して、記録されていないとき、記録された情報が光記録装置の装置識別情報と不一致のとき、情報が一致しても情報有効条件を満たさないとき、ＳＴ２とＳＴ３の処理により、レーザ光のパワーキャリブレーション処理を行い出力設定値を算出する。ＳＴ４では、パワーキャリブレーション情報と装置識別情報を記録媒体に記録する。情報が一致し、情報有効条件を満たすとき、ＳＴ９とＳＴ１０の処理により、既に生成されている情報を用いて出力設定値を算出する。ＳＴ５では、出力設定値に基づいてレーザ光の出力を設定する。既に使用した記録媒体を用いるとき、キャリブレーションを行うことなく、レーザ光の出力を最適な状態として信号の記録を速やかに開始できるものとする。
2004019324.tif 000002
【特許請求の範囲】
【請求項１】
光記録装置に割り当てられた装置固有の装置識別情報が光記録媒体に記録されているか否かを識別する第１の識別ステップと、
前記第１の識別ステップにおいて、前記装置識別情報が記録されていると識別された場合に、前記光記録媒体に記録されている前記装置識別情報が、前記装置固有の装置識別情報と一致するか否かを識別する第２の識別ステップと、
前記第１の識別ステップにおいて前記装置識別情報が記録されていないと識別された場合と、前記第２の識別ステップにおいて記録されている前記装置識別情報が前記光記録装置に割り当てられた装置識別情報と一致しないと識別された場合とを含む第１の識別結果を得たときに第１の処理を行う第１の処理ステップと、
前記第１の識別ステップにおいて前記装置識別情報が記録されていると識別され、且つ、前記第２の識別ステップにおいて記録されている前記装置識別情報が前記光記録装置に割り当てられた装置識別情報と一致すると識別された第２の識別結果を得たことを少なくとも１つの条件として第２の処理を行う第２の処理ステップとを備え、
前記第１の処理ステップは、パワーキャリブレーション処理を行ってパワーキャリブレーション情報を生成する生成ステップと、
前記生成ステップで生成したパワーキャリブレーション情報に基づいてレーザ光の出力を設定する第１の設定ステップとを含み、
前記第２の処理ステップは、前記光記録媒体に記録されているパワーキャリブレーション情報に基づいてレーザ光の出力を設定する第２の設定ステップを含む光記録装置におけるレーザ出力設定方法。
【請求項２】
前記第２の識別ステップにおいて、前記光記録媒体に記録されている前記装置識別情報が、前記装置固有の装置識別情報と一致すると識別されたときに、前記光記録媒体に記録されているパワーキャリブレーション情報が情報有効条件を満たすか否かを識別する有効条件識別ステップをさらに備え、
前記有効条件識別ステップにおいて、前記パワーキャリブレーション情報が前記情報有効条件を満たすと識別された場合、前記第１の処理ステップが行われ、前記パワーキャリブレーション情報が前記情報有効条件を満たさないと識別された場合、前記第２の処理ステップが行われる請求の範囲第１項記載のレーザ出力設定方法。
【請求項３】
前記情報有効条件は、前記レーザ光の出力の変化が所望の範囲内となるように設定されている請求の範囲第２項記載のレーザ出力設定方法。
【請求項４】
前記第２の処理ステップでは、前記第１の識別ステップにおいて前記装置識別情報が記録されていると識別され、且つ、前記第２の識別ステップにおいて記録されている前記装置識別情報が前記光記録装置に割り当てられた装置識別情報と一致すると識別された第２の識別結果を得たことを条件として前記第２の処理を行う請求の範囲第１項記載のレーザ出力設定方法。
【請求項５】
前記パワーキャリブレーション情報と、前記光記録装置に割り当てられた装置識別情報を前記光記録媒体に記録する記録ステップをさらに備える請求の範囲第１項記載のレーザ出力設定方法。
【請求項６】
光記録媒体に割り当てられた光記録媒体固有の記録媒体識別情報が光記録装置の記憶手段に記憶されているか否かを識別する第１の識別ステップと、
前記第１の識別ステップにおいて、前記記録媒体識別情報が記憶されていると識別された場合に、前記光記録媒体に記録されている前記記録媒体識別情報が、前記記憶手段に記憶されている記録媒体識別情報と一致するか否かを識別する第２の識別ステップと、
前記第１の識別ステップにおいて前記記録媒体識別情報が記憶されていないと識別された場合と、前記第２の識別ステップにおいて記憶されている前記記録媒体識別情報が前記光記録媒体に割り当てられた記録媒体識別情報と一致しないと識別された場合とを含む第１の識別結果を得たときに第１の処理を行う第１の処理ステップと、
前記第１の識別ステップにおいて前記記録媒体識別情報が記憶されていると識別され、且つ、前記第２の識別ステップにおいて記憶されている前記記録媒体識別情報が前記記録媒体に割り当てられた記録媒体識別情報と一致すると識別された第２の識別結果を得たことを少なくとも１つの条件として第２の処理を行う第２の処理ステップとを備え、
前記第１の処理ステップは、
パワーキャリブレーション処理を行ってパワーキャリブレーション情報を生成する生成ステップと、
前記生成ステップで生成したパワーキャリブレーション情報に基づいてレーザ光の出力を設定する第１の設定ステップとを含み、
前記第２の処理ステップは、
前記記憶手段に記憶されているパワーキャリブレーション情報に基づいてレーザ光の出力を設定する第２の設定ステップを含む光記録装置におけるレーザ出力設定方法。
【請求項７】
前記第２の識別ステップにおいて、前記記憶手段に記憶されている前記装置識別情報が、前記装置固有の装置識別情報と一致すると識別されたときに、前記記憶手段に記憶されているパワーキャリブレーション情報が情報有効条件を満たすか否かを識別する有効条件識別ステップをさらに備え、
前記有効条件識別ステップにおいて、前記パワーキャリブレーション情報が前記情報有効条件を満たすと識別された場合、前記第１の処理ステップが行われ、前記パワーキャリブレーション情報が前記情報有効条件を満たさないと識別された場合、前記第２の処理ステップが行われる請求の範囲第６項記載のレーザ出力設定方法。
【請求項８】
前記情報有効条件は、前記レーザ光の出力の変化が所望の範囲内となるように設定されている請求の範囲第７項記載のレーザ出力設定方法。
【請求項９】
前記第２の処理ステップでは、前記第１の識別ステップにおいて前記装置識別情報が記憶されていると識別され、且つ、前記第２の識別ステップにおいて記憶されている前記記録媒体識別情報が前記記録媒体に割り当てられた記録媒体識別情報と一致すると識別された第２の識別結果を得たことを条件として第２の処理を行う請求の範囲第６項記載のレーザ出力設定方法。
【請求項１０】
前記パワーキャリブレーション情報と、前記記録媒体に割り当てられた記録媒体識別情報を前記記憶手段に記憶する記憶ステップをさらに備える請求の範囲第６項記載のレーザ出力設定方法。
【請求項１１】
光記録媒体にレーザ光を照射して、信号の記録あるいは再生を行う光ピックアップと、
前記光ピックアップを駆動して、前記レーザ光を出力させる駆動手段と、
装置固有の装置識別情報を記憶した記憶手段と、
前記光ピックアップ及び前記駆動手段の動作を制御する制御手段を有し、
前記制御手段は、
前記装置識別情報が光記録媒体に記録されているか否かを識別し、
前記装置識別情報が記録されていると識別された場合に、前記光記録媒体に記録されている前記装置識別情報が、前記装置固有の装置識別情報と一致するか否かを識別し、
前記装置識別情報が記録されていないと識別された場合と、記録されている前記装置識別情報が前記光記録装置に割り当てられた装置識別情報と一致しないと識別された場合とを含む第１の識別結果を得たときに第１の処理を行い、
前記装置識別情報が記録されていると識別され、且つ、記録されている前記装置識別情報が前記光記録装置に割り当てられた装置識別情報と一致すると識別された第２の識別結果を得たことを少なくとも１つの条件として第２の処理を行い、
前記第１の処理では、
パワーキャリブレーション処理を行ってパワーキャリブレーション情報を生成し、
前記生成したパワーキャリブレーション情報に基づいてレーザ光の出力を設定し、
前記第２の処理では、
前記光記録媒体に記録されているパワーキャリブレーション情報に基づいてレーザ光の出力を設定する光記録装置。
【請求項１２】
前記制御手段は、前記光記録媒体に記録されている前記装置識別情報が、前記装置固有の装置識別情報と一致すると識別されたときに、前記光記録媒体に記録されているパワーキャリブレーション情報が情報有効条件を満たすか否かを識別し、
前記パワーキャリブレーション情報が前記情報有効条件を満たすと識別された場合、前記第１の処理を行い、前記パワーキャリブレーション情報が前記情報有効条件を満たさないと識別された場合、前記第２の処理を行う請求の範囲第１１項記載の光記録装置。
【請求項１３】
前記情報有効条件は、前記レーザ光の出力の変化が所望の範囲内となるように設定されている請求の範囲第１２項記載の光記録装置。
【請求項１４】
前記制御手段は、前記装置識別情報が記録されていると識別され、且つ、記録されている前記装置識別情報が前記光記録装置に割り当てられた装置識別情報と一致すると識別された第２の識別結果を得たことを条件として前記第２の処理を行う請求の範囲第１１項記載の光記録装置。
【請求項１５】
前記制御手段は、前記パワーキャリブレーション情報と、前記光記録装置に割り当てられた装置識別情報を前記光記録媒体に記録する処理を行う請求の範囲第１１項記載の光記録装置。
【請求項１６】
光記録媒体にレーザ光を照射して、信号の記録あるいは再生を行う光ピックアップと、
前記光ピックアップを駆動して、前記レーザ光を出力させる駆動手段と、
光記録媒体固有の記録媒体識別情報を記憶した記憶手段と、
前記光ピックアップ及び前記駆動手段の動作を制御する制御手段を有し、
前記制御手段は、
前記記録媒体識別情報が前記記憶手段に記憶されているか否かを識別し、
前記記録媒体識別情報が記憶されていると識別された場合に、前記光記録媒体に記録されている前記記録媒体識別情報が、前記記憶手段に記憶されている記録媒体識別情報と一致するか否かを識別し、
前記記録媒体識別情報が記憶されていないと識別された場合と、記憶されている前記記録媒体識別情報が前記光記録媒体に割り当てられた記録媒体識別情報と一致しないと識別された場合とを含む第１の識別結果を得たときに第１の処理を行い、
前記記録媒体識別情報が記憶されていると識別され、且つ、記憶されている前記記録媒体識別情報が前記光記録媒体に割り当てられた記録媒体識別情報と一致すると識別された第２の識別結果を得たことを少なくとも１つの条件として第２の処理を行い、
前記第１の処理では、
パワーキャリブレーション処理を行ってパワーキャリブレーション情報を生成し、
前記生成したパワーキャリブレーション情報に基づいてレーザ光の出力を設定し、
前記第２の処理では、
前記記憶手段に記憶されているパワーキャリブレーション情報に基づいてレーザ光の出力を設定する光記録装置。
【請求項１７】
前記制御手段は、前記記憶手段に記憶されている前記記録媒体識別情報が、前記光記録媒体固有の記録媒体識別情報と一致すると識別されたときに、前記記憶手段に記憶されているパワーキャリブレーション情報が情報有効条件を満たすか否かを識別し、
前記パワーキャリブレーション情報が前記情報有効条件を満たすと識別された場合、前記第１の処理を行い、前記パワーキャリブレーション情報が前記情報有効条件を満たさないと識別された場合、前記第２の処理を行う請求の範囲第１６項記載の光記録装置。
【請求項１８】
前記情報有効条件は、前記レーザ光の出力の変化が所望の範囲内となるように設定されている請求の範囲第１７項記載の光記録装置。
【請求項１９】
前記制御手段は、前記記録媒体識別情報が記憶されていると識別され、且つ、記憶されている前記記録媒体識別情報が前記光記録媒体に割り当てられた記録媒体識別情報と一致すると識別された第２の識別結果を得たことを条件として前記第２の処理を行う請求の範囲第１６項記載の光記録装置。
【請求項２０】
前記制御手段は、前記パワーキャリブレーション情報と、前記光記録媒体に割り当てられた記録媒体識別情報を前記記憶手段に記憶させる処理を行う請求の範囲第１６項記載の光記録装置。
【発明の詳細な説明】
【技術分野】  この発明は、レーザ出力設定方法および光記録装置に関する。
【背景技術】  光記録媒体を用いる光記録装置では、光ピックアップからディスクにレーザ光を照射して、ディスクに信号を記録することが行われている。また、レーザ光の出力を切り換えてディスクに記録されている信号の読み出しも行われている。
このような光記録装置では、記録する信号に応じたピットがディスクに形成されるように、レーザ光の出力を制御してディスクに照射することが行われる。ここで、レーザ光の出力が最適でなかった場合、ピットの形状が大きすぎたり小さすぎたりすることとなり、記録した信号を正しく読み出すことが出来なくなってしまう。このため、ディスクの例えば最内周側や最外周側の領域を利用して試し書きを行い、この試し書きの結果に基づいてレーザ光の出力を最適な状態に設定するいわゆるパワーキャリブレーション処理が行われている。
ところで、パワーキャリブレーション処理では、最内周側や最外周側の領域にレーザ光の出力を変えて信号を記録し、記録した信号を再生して得られた再生信号に基づいて最適なレーザ光の出力を決定するものである。このため、信号を記録する時間や記録した信号を再生してレーザ光の出力を決定する時間、さらに光ピックアップを最内周側の領域と最外周側の領域との間で移動させる移動時間等が必要となり、処理に要する時間が長い。
このため、光記録装置にリムーバブルなディスクが装着されたとき、レーザ光の出力を最適な状態に設定するためパワーキャリブレーション処理を行うものとすると、パワーキャリブレーション処理が完了するまで信号の記録動作を開始することができない。一方、パワーキャリブレーション処理中に供給された信号も記録できるようにバッファメモリを設けるものとした場合、パワーキャリブレーション処理に要する時間が長いと大容量のバッファメモリを設けなければならず、光記録装置が高価となってしまう。
【発明の開示】
この発明の目的は、バッファメモリ等を必要とすることなく信号の記録を速やかに開始できるとともに、レーザ光の出力を最適な状態として信号の記録を行うことができるレーザ出力設定方法および光記録装置を提供することにある。
この発明に係るレーザ出力設定方法は、光記録装置に割り当てられた装置固有の装置識別情報が光記録媒体に記録されているか否かを識別する第１の識別ステップと、前記第１の識別ステップにおいて、前記装置識別情報が記録されていると識別された場合に、前記光記録媒体に記録されている前記装置識別情報が、前記装置固有の装置識別情報と一致するか否かを識別する第２の識別ステップと、前記第１の識別ステップにおいて前記装置識別情報が記録されていないと識別された場合と、前記第２の識別ステップにおいて記録されている前記装置識別情報が前記光記録装置に割り当てられた装置識別情報と一致しないと識別された場合とを含む第１の識別結果を得たときに第１の処理を行う第１の処理ステップと、前記第１の識別ステップにおいて前記装置識別情報が記録されていると識別され、且つ、前記第２の識別ステップにおいて記録されている前記装置識別情報が前記光記録装置に割り当てられた装置識別情報と一致すると識別された第２の識別結果を得たことを少なくとも１つの条件として第２の処理を行う第２の処理ステップとを備え、前記第１の処理ステップは、パワーキャリブレーション処理を行ってパワーキャリブレーション情報を生成する生成ステップと、前記生成ステップで生成したパワーキャリブレーション情報に基づいてレーザ光の出力を設定する設定ステップとを含み、前記第２の処理ステップは、前記光記録媒体に記録されているパワーキャリブレーション情報に基づいてレーザ光の出力を設定するステップを含むものである。
また、光記録媒体に割り当てられた光記録媒体固有の記録媒体識別情報が光記録装置の記憶手段に記憶されているか否かを識別する第１の識別ステップと、前記第１の識別ステップにおいて、前記記録媒体識別情報が記憶されていると識別された場合に、前記光記録媒体に記録されている前記記録媒体識別情報が、前記記憶手段に記憶されている記録媒体識別情報と一致するか否かを識別する第２の識別ステップと、前記第１の識別ステップにおいて前記記録媒体識別情報が記憶されていないと識別された場合と、前記第２の識別ステップにおいて記憶されている前記記録媒体識別情報が前記光記録媒体に割り当てられた記録媒体識別情報と一致しないと識別された場合とを含む第１の識別結果を得たときに第１の処理を行う第１の処理ステップと、前記第１の識別ステップにおいて前記記録媒体識別情報が記憶されていると識別され、且つ、前記第２の識別ステップにおいて記憶されている前記記録媒体識別情報が前記記録媒体に割り当てられた記録媒体識別情報と一致すると識別された第２の識別結果を得たことを少なくとも１つの条件として第２の処理を行う第２の処理ステップとを備え、前記第１の処理ステップは、パワーキャリブレーション処理を行ってパワーキャリブレーション情報を生成する生成ステップと、前記生成ステップで生成したパワーキャリブレーション情報に基づいてレーザ光の出力を設定する設定ステップとを含み、前記第２の処理ステップは、前記記憶手段に記憶されているパワーキャリブレーション情報に基づいてレーザ光の出力を設定するステップを含むものである。
この発明に係る光記録装置は、光記録媒体にレーザ光を照射して、信号の記録あるいは再生を行う光ピックアップと、前記光ピックアップを駆動して、前記レーザ光を出力させる駆動手段と、装置固有の装置識別情報を記憶した記憶手段と、前記光ピックアップ及び前記駆動手段の動作を制御する制御手段を有し、前記制御手段は、前記装置識別情報が光記録媒体に記録されているか否かを識別し、前記装置識別情報が記録されていると識別された場合に、前記光記録媒体に記録されている前記装置識別情報が、前記装置固有の装置識別情報と一致するか否かを識別し、前記装置識別情報が記録されていないと識別された場合と、記録されている前記装置識別情報が前記光記録装置に割り当てられた装置識別情報と一致しないと識別された場合とを含む第１の識別結果を得たときに第１の処理を行い、前記装置識別情報が記録されていると識別され、且つ、記録されている前記装置識別情報が前記光記録装置に割り当てられた装置識別情報と一致すると識別された第２の識別結果を得たことを少なくとも１つの条件として第２の処理を行い、前記第１の処理では、パワーキャリブレーション処理を行ってパワーキャリブレーション情報を生成し、前記生成したパワーキャリブレーション情報に基づいてレーザ光の出力を設定し、前記第２の処理では、前記光記録媒体に記録されているパワーキャリブレーション情報に基づいてレーザ光の出力を設定するものである。
また、光記録媒体にレーザ光を照射して、信号の記録あるいは再生を行う光ピックアップと、前記光ピックアップを駆動して、前記レーザ光を出力させる駆動手段と、光記録媒体固有の記録媒体識別情報を記憶した記憶手段と、前記光ピックアップ及び前記駆動手段の動作を制御する制御手段を有し、前記制御手段は、前記記録媒体識別情報が前記記憶手段に記憶されているか否かを識別し、前記記録媒体識別情報が記憶されていると識別された場合に、前記光記録媒体に記録されている前記記録媒体識別情報が、前記記憶手段に記憶されている記録媒体識別情報と一致するか否かを識別し、前記記録媒体識別情報が記憶されていないと識別された場合と、記憶されている前記記録媒体識別情報が前記光記録媒体に割り当てられた記録媒体識別情報と一致しないと識別された場合とを含む第１の識別結果を得たときに第１の処理を行い、前記記録媒体識別情報が記憶されていると識別され、且つ、記憶されている前記記録媒体識別情報が前記光記録媒体に割り当てられた記録媒体識別情報と一致すると識別された第２の識別結果を得たことを少なくとも１つの条件として第２の処理を行い、前記第１の処理では、パワーキャリブレーション処理を行ってパワーキャリブレーション情報を生成し、前記生成したパワーキャリブレーション情報に基づいてレーザ光の出力を設定し、前記第２の処理では、前記記憶手段に記憶されているパワーキャリブレーション情報に基づいてレーザ光の出力を設定するものである。
この発明においては、光記録装置によって光記録媒体に情報を記録する場合、光記録媒体の記録媒体識別情報と光記録装置に記憶されている記録媒体識別情報、あるいは光記録媒体に記録されている装置識別情報と光記録装置に割り当てられている装置識別情報とが比較されて、識別情報の比較結果から使用したことのない光記録媒体であると識別された場合、パワーキャリブレーション処理を行ってパワーキャリブレーション情報を生成して、このパワーキャリブレーション情報に基づいてレーザ光の出力が設定される。
また、比較結果から使用したことのある光記録媒体であると識別された場合、あるいは、使用したことのある光記録媒体であると識別されるときに、既に生成されているパワーキャリブレーション情報が情報有効条件を満たすと識別された場合、この生成されているパワーキャリブレーション情報に基づいてレーザ光の出力が設定される。情報有効条件を満たさないと識別された場合には、パワーキャリブレーション処理によって生成されたパワーキャリブレーション情報に基づいてレーザ光の出力が設定される。さらに、パワーキャリブレーション処理が行われたときには、生成されたパワーキャリブレーション情報と装置識別情報が光記録媒体に記録され、あるいは生成されたパワーキャリブレーション情報と記録媒体識別情報が光記録装置に記憶される。
この発明によれば、光記録媒体の記録媒体識別情報と光記録装置で記憶している記録媒体識別情報、あるいは光記録媒体に記録されている装置識別情報と光記録装置に割り当てられている装置識別情報とが比較されて、識別情報の比較結果に基づいてパワーキャリブレーション処理の実行が制御される。このため、光記録媒体が既に使用したものであるときには、既に生成されているパワーキャリブレーション情報を利用して、速やかに最適な状態で記録動作を開始できる。
また、光記録媒体が使用したものでないときには、パワーキャリブレーション処理が行われて、生成されたパワーキャリブレーション情報と装置識別情報が光記録媒体に記録され、あるいは生成されたパワーキャリブレーション情報と記録媒体識別情報が光記録装置に記憶される。このため、再度同じ光記録媒体を使用する際には、光記録媒体が既に使用したものであるか否かを正しく識別できる。
さらに、パワーキャリブレーション情報に対して情報有効条件が設定されて、この情報有効条件を満たさないときにはパワーキャリブレーション処理が行われる。このため、既に生成されているパワーキャリブレーション情報では最適な状態で記録動作を行うことができない場合が生ずる前に、パワーキャリブレーション処理を行いパワーキャリブレーション情報を更新して、常に最適な状態で記録動作を行うことができる。
【図面の簡単な説明】  図１は、ディスクの構成を示す図である。
図２は、光記録装置の構成を示す図である。
図３は、第１の形態を示すフローチャートである。
図４は、第２の形態を示すフローチャートである。
【発明を実施するための最良の形態】  以下、図を参照しながら、この発明の実施の形態について説明する。図１はレーザ光を用いて信号の記録が行われる光記録媒体例えば光ディスク（以下「ディスク」という）、図２は図１に示すディスクを用いて信号の記録を行う光記録装置の構成を示している。
図１において、ディスク１０の内周側には試し書き領域Ａが設けられる。この試し書き領域Ａは、テスト信号を記録し、その記録されたテスト信号を再生することによって最適なレーザ光の出力を決定するために使用される領域である。試し書き領域Ｂの外周側には、バッファ領域Ｂが設けられる。バッファ領域Ｂは、信号の記録動作を行う場合に記録位置等を示す情報等を記録するために設けられている。
さらに、バッファ領域Ｂの外周側には、ＴＯＣ（Ｔａｂｌｅ  Ｏｆ  Ｃｏｎｔｅｎｔｓ）データが記録されるリードイン領域Ｃ、信号が記録されるプログラム領域Ｄ及び記録領域の最外周を示すリードアウト領域Ｅが、順次外周側に向けて設けられる。また、リードアウト領域Ｅの外周側は外周領域Ｆとされている。
なお、ディスク１０における各領域の配置は、例示的なものであり限定的なものではない。例えば、外周側から試し書き領域Ａやバッファ領域Ｂ等を設けるものとしても良い。また、各領域の順序が入れ替えられていても良いことは勿論である。
次に、光記録装置２０について説明する。図２において、ターンテーブル２１に載置されているリムーバブルなディスク１０は、スピンドルモータ２２によって回転駆動される。なお、スピンドルモータ２２は、後述するモータ駆動部３５からのスピンドル駆動信号ＳＳＤによって、ディスク１０の回転速度が所望の速度となるように駆動される。
光ピックアップ２５は、ディスク１０にレーザ光を照射するレーザ光出力素子、ディスク１０の信号面で反射されたレーザ光を受けて、反射光に応じた電気信号を生成する光検出器、レーザ光をディスク１０の信号面の所望に位置に正しく照射するための対物レンズと対物レンズを駆動するアクチュエータ等で構成されている。この光ピックアップ２５は、ディスク１０に対して光量をコントロールしたレーザ光を照射する。ディスク１０で反射されたレーザ光は、光ピックアップ２５の光検出処理回路（図示せず）に照射される。光検出処理回路は、光電変換および電流電圧変換等を行い、反射光に基づいて光検出信号Ｓｄｅを生成してＲＦ信号処理部２６に供給する。また、光検出処理回路は、レーザ光の出力をモニタして出力モニタ信号Ｓｐｍを生成して後述するレーザ駆動部３４に供給する。
ＲＦ信号処理部２６は、光検出信号Ｓｄｅに基づいて読み出し信号Ｓｒを生成し、この読み出し信号Ｓｒの波形成形および二値化等を行いクロック信号ＣＬＫや再生信号ＲＤａを生成して、再生信号処理部３０に供給する。また、光検出信号Ｓｄｅに基づいてトラッキング誤差信号ＳＴＥやフォーカス誤差信号ＳＦＥを生成して、サーボ制御部２７に供給する。また、読み出し信号Ｓｒを判別信号生成部２８に供給する。
サーボ制御部２７は、供給されたフォーカス誤差信号ＳＦＥに基づき、レーザ光の焦点位置がディスク１０の信号面上の位置となるように、光ピックアップ２５の対物レンズ（図示せず）を駆動するためのフォーカス駆動信号ＳＦＤを生成して、光ピックアップ２５のアクチュエータ（図示せず）に供給する。また、サーボ制御部２７は、供給されたトラッキング誤差信号ＳＴＥに基づき、レーザ光の照射位置が所望のトラックの中央位置となるように、光ピックアップ２５の対物レンズを駆動するためのトラッキング駆動信号ＳＴＤを生成して、アクチュエータに供給する。さらに、光ピックアップ２５でのトラッキングサーボ範囲が限られていることから、サーボ制御部２７は、信号の記録あるいは読み出し位置がトラッキングサーボ範囲となるように、光ピックアップ２５をディスク１０の径方向に移動させるスレッド駆動信号を生成して、スレッド駆動回路（図示せず）に供給する。また、サーボ制御部２７は、制御部４０からのサーボ制御信号ＣＳに基づき、サーボ動作を制御する。例えば、サーボ制御部２７は、ディスク１０が装着されたとき、サーボ制御部２７は制御部４０からのサーボ制御信号ＣＳに基づきフォーカスサーチ動作を行い、レーザ光の焦点位置がディスク１０の信号面上の位置となる対物レンズの位置を検出してフォーカスサーボ動作を開始する。また、サーボ制御部２７は、信号の読み出し位置を移動させるときには、制御部４０からのサーボ制御信号ＣＳに基づきトラッキングサーボ動作を一時停止してトラックジャンプを行うことで、信号の読み出し位置を径方向に速やかに移動させる。
再生信号処理部３０は、クロック信号ＣＬＫを用いて再生信号ＲＤａの復調処理やデインタリーブ処理および誤り訂正処理等を行い、処理後の信号ＲＤｂを出力処理部３１に供給する。また、ディスク１０の所定領域の信号読み出しを行って得られた信号ＲＤｂやアドレス位置を示す信号は制御部４０に供給される。
出力処理部３１は、供給された信号ＲＤｂが映像や音声の符号化された信号である場合には復号化処理を行う。さらに、出力処理部３１は、復号化処理を行うことにより得られた信号を所定の出力フォーマットの出力信号ＲＤｃとして出力する。また、信号ＲＤｂが符号化された信号でないとき、出力処理部３１は、再生信号処理部３０から供給された信号を所定の出力フォーマットの出力信号ＲＤｃとして出力する。さらに、供給された信号がコンピュータソフトウェア等のデータ信号であるとき、出力処理部３１は、再生信号処理部３０から供給された信号をそのまま出力する。
入力処理部３２は、映像や音声の入力信号ＷＤａが供給されたとき、この入力信号ＷＤａの信号量を削減する場合には符号化処理を行い、符号化処理後の信号を信号ＷＤｂとして記録信号処理部３３に供給する。また、信号量を削減しない場合、入力処理部３２は、入力信号ＷＤａを信号ＷＤｂとして記録信号処理部３３に供給する。また、入力信号ＷＤａが所定のフォーマットの信号でないとき、入力処理部３２は、入力信号ＷＤａのフォーマット変換を行い、変換後の信号を信号ＷＤｂとして記録信号処理部３３に供給する。さらに、コンピュータソフトウェア等のデータ信号が入力信号ＷＤａとして供給されたとき、入力処理部３２は、このデータ信号を信号ＷＤｂとして記録信号処理部３３に供給する。
記録信号処理部３３は、入力処理部３２から供給された信号ＷＤｂの変調処理やインタリーブ処理、誤り訂正符号の算出や付加等の処理を行い記録信号ＷＳを生成する。また、制御部４０からパワーキャリブレーション用のテスト信号ＷＤｃが供給されたとき、記録信号処理部３３は、このテスト信号ＷＤｃに基づいて記録信号ＷＳを生成してレーザ駆動部３４に供給する。
判別信号生成部２８は、供給された読み出し信号Ｓｒに基づいて、適正なレーザ出力で信号の書き込みが行われていたか否かを判別可能とする判別信号ＬＭを生成する。例えば、レーザ光の出力を可変して所定のパターン信号を記録し、この記録したパターン信号を再生すると、再生時に得られる信号の最大レベルと最小レベルがレーザ光の出力に応じて変動する。このため、読み出し信号Ｓｒの信号レベルを検出して、この信号レベルを示す信号を判別信号ＬＭとして制御部４０に供給する。
レーザ駆動部３４は、レーザ駆動信号ＳＬＤを生成して光ピックアップ２５のレーザ光出力素子に供給することにより、ディスク１０に照射されるレーザ光の出力を制御する。ここで、レーザ駆動部３４は、例えば制御部４０から供給されたレーザ出力設定値ＣＬに基づいたレーザ光の出力を、記録信号処理部３３から供給された記録信号ＷＳに応じてスイッチングするようにレーザ駆動信号ＳＬＤを生成する。
温度センサ３６は、ディスク１０あるいはディスク１０近傍の空間の温度を測定して、測定結果を示すセンサ信号ＴＳａを制御部４０に供給する。温度センサ３７は、レーザ光出力素子の温度を測定して、測定結果を示すセンサ信号ＴＳｂを制御部４０に供給する。
モータ駆動部３５は、制御部４０から供給されたモータ制御信号ＭＣに基づきスピンドル駆動信号ＳＳＤを生成してスピンドルモータ２２に供給する。
制御部４０には、ユーザインタフェース４１が接続されている。ユーザインタフェース４１は、ユーザ操作に応じた制御信号ＰＳを生成して制御部４０に供給する。あるいはユーザ操作に応じたリモートコントロール信号を受信して制御信号ＰＳとして制御部４０に供給する。また、ユーザインタフェース４１は、外部機器から光記録装置の動作を制御する信号を受信して制御信号ＰＳとして制御部４０に供給する。
制御部４０は、ユーザインタフェース４１から供給された制御信号ＰＳに基づき各部の動作を制御して、光記録装置の動作をユーザ操作等に応じた動作モードに設定する。また、制御部４０は、動作モードに応じてレーザ光の出力を設定するためのレーザ出力設定値ＣＬを生成してレーザ駆動部３４に供給する。
また、制御部４０は、パワーキャリブレーション処理のとき、レーザ光の出力を連続的にまたは段階的に変化させせるようにレーザ出力設定値ＣＬを生成してレーザ駆動部３４に供給し、テスト信号ＷＤｃを記録信号処理部３３に供給させて、試し書き領域Ａや外周領域Ｆに試し書きを行う。さらに、制御部４０は、試し書き領域Ａのテスト信号ＷＤｃを再生したときに判別信号生成部２８から供給された判別信号ＬＭに基づいて、最内周側でレーザ光の出力が最適となるレーザ出力設定値ＣＬＡを判別し、外周領域Ｆのテスト信号ＷＤｃを再生したときに判別信号生成部２８から供給された判別信号ＬＭに基づいて、最外周側でレーザ光の出力が最適となるレーザ出力設定値ＣＬＦを判別する。
さらに、制御部４０は、既に使用したディスクであるか否かを識別可能とするための識別情報と、判別したレーザ出力設定値やパワーキャリブレーション処理を行ったときの種々の情報を用いて生成したパワーキャリブレーション情報とを、ディスクあるいは光記録装置に設けるものとする。例えば光記録装置に対して割り当てられた装置固有の識別情報である装置識別情報とパワーキャリブレーション情報とをディスク１０の所定の領域に記録する。あるいはディスクに割り当てられたディスク固有の識別情報である記録媒体識別情報と、パワーキャリブレーション情報とを対応させてメモリ４２に記憶させる。
この装置識別情報は、例えば装置開発メーカを識別するためのＩＤや装置の機種名および装置のシリアル番号等で構成する。記録媒体識別情報は、例えばディスク開発メーカを識別するためのＩＤやディスクの品名、ディスクのシリアル番号等で構成する。また、ディスクの製造ロット内でのばらつきが少ない場合には、ディスクの製造ロット番号等を用いるものしても良い。パワーキャリブレーション情報は、レーザ出力設定値、レーザ光出力素子の特性の経時変化を判別するための情報（例えばパワーキャリブレーション処理を行ったときのレーザ光出力素子の使用積算時間やパワーキャリブレーション処理を行ったときの日付等）、レーザ光出力素子の使用環境に関する情報（例えばレーザ光出力素子の温度）、レーザ光出力素子の固有特性を示す情報等で構成する。さらに、ディスクの特性に関する情報等を用いることもできる。
また、装置識別情報は、例えば制御部４０に不揮発性メモリを設けて、この不揮発性メモリに一般ユーザーが書き換えできないように予め記憶しておくものとする。さらに、サービス対応で光ピックアップの交換が行われたときには、不揮発性メモリに記憶されている装置識別情報を更新することで、パワーキャリブレーション情報を常に正しい状態に保つことができる。
記録媒体識別情報は、光記録装置で読み取ることができる位置であれば良く、ディスクの最内周側や最外周側の領域あるいはリードイン領域やプログラム領域等に記録することができる。また、光記録装置の動作開始時に最初に設定される光ピックアップ位置でのレーザ光照射位置近傍に記録すれば、光ピックアップ２５をディスク径方向に移動させることなく記録媒体識別情報を読み出すことが可能となり、既に使用したディスクであるか否かの識別を速やかに行うことができる。
さらに、メモリを埋め込んだディスク１０を光記録媒体として用いるものとし、あるいは、メモリを設けたカートリッジにディスク１０を収納して光記録媒体を構成するものとして、このメモリに記録媒体識別情報を記録するものとしても良い。また、メモリと共に無線の送受信回路を設けるものとすれば、非接触で情報の記録再生を行うことが可能となり、ディスク１０の回転させなくとも、光記録媒体を光記録装置に装着するだけで、既に使用したディスクであるか否かの識別を行える。
制御部４０は、メモリ４２あるいはディスク１０に設けられている識別情報やパワーキャリブレーション情報に基づき、パワーキャリブレーション処理の必要性を判別して、必要があると判別したときパワーキャリブレーション処理を実行する。また、信号の記録時には、メモリ４２あるいはディスク１０に設けられているパワーキャリブレーション情報、あるいはパワーキャリブレーション処理を実行して生成したパワーキャリブレーション情報のレーザ出力設定値ＣＬＡ，ＣＬＦに基づいてレーザ光の出力を設定する。なお、制御部４０は、サーボ制御信号ＣＳを生成してサーボ制御部２７の動作を制御する。
次に光記録装置の動作について説明する。ディスク１０に対して信号を記録する場合、光記録装置２０はディスク１０が既に使用したディスクであるか否かを識別して、使用実績がないときにはディスク１０を用いてパワーキャリブレーション処理を行い、レーザ光の出力が最適となるレーザ出力設定値を判別する。その後、判別されたレーザ出力設定値を用いて記録動作を行う。使用実績があるときには、既に設定されているレーザ出力設定値を用いるものとして、パワーキャリブレーション処理を省略して記録動作を開始する。
また、レーザ光出力素子は例えば使用温度や使用積算時間等によって出力特性が変化する。このため、使用温度や使用積算時間等に対してレーザ光の出力の変化が所望の範囲内となるように情報有効条件を設定して、パワーキャリブレーション情報が情報有効条件を満たすことができないときには、パワーキャリブレーション情報に含まれているレーザ出力設定値を無効として、再度パワーキャリブレーション処理を行いレーザ出力設定値を更新する。
図３は、光記録装置における動作の第１の形態を示すフローチャートである。この第１の形態は、使用実績を識別するための識別情報やパワーキャリブレーション情報をディスク１０に記録して、光記録装置では、ディスク１０に記録されている情報を利用してレーザ光の出力の設定するものである。
光記録装置の制御部４０は、ステップＳＴ１で、ディスク１０の所定の領域に装置識別情報が記録されているか否かを識別する。ここで、ディスク１０を最初に使用するときには、装置識別情報が記録されていないことからステップＳＴ２に進む。
ステップＳＴ２では、パワーキャリブレーション処理を行いレーザ光の出力が最適となるレーザ出力設定値を設定して、このレーザ出力設定値をメモリ４２に記憶させる。
このパワーキャリブレーション処理では、制御部４０によって、サーボ制御部２７や記録信号処理部３３，レーザ駆動部３４，モータ駆動部３５等の動作を制御して、所望の速度で回転駆動されているディスク１０の試し書き領域Ａにテスト信号ＷＤｃを記録させる。また、テスト信号ＷＤｃの記録の際にレーザ出力設定値を連続的にまたは段階的に変化させてレーザ光の出力を可変させる。
次に、制御部４０は、記録したテスト信号ＷＤｃを再生する制御処理を行い、判別信号生成部２８から供給された判別信号ＬＭに基づき最も良好な信号が得られたときのレーザ出力設定値を内周側における最適なレーザ出力設定値ＣＬＡとして設定する。この内周側における最適なレーザ出力設定値ＣＬＡをメモリ４２に記憶させる。
内周側を対象とするレーザ出力設定値の設定動作が終了すると、光ピックアップ２５を外周側に移動して、内周側の場合と同様にテスト信号ＷＤｃの記録や再生を行い、判別信号ＬＭに基づき最も良好な信号が得られたときのレーザ出力設定値を外周側における最適なレーザ出力設定値ＣＬＦとして設定する。この外周側における最適なレーザ出力設定値ＣＬＦをメモリ４２に記憶させる。
ステップＳＴ３では、メモリ４２に記憶されている内周側のレーザ出力設定値ＣＬＡと外周側のレーザ出力設定値ＣＬＦから、ディスク１０の径方向における各位置のレーザ出力設定値ＣＬを算出する。この各位置におけるレーザ出力設定値ＣＬの算出は、ディスク１０の記録特性に応じて設定されている算出式に基づいて行うと最適なレーザ出力設定値ＣＬを算出できる。ディスク１０の記録特性の判別動作は、試し書き領域Ａにテスト信号を記録させ、その記録特性の変化に基づいて行うことができる。更に、ディスクメーカー毎に設定されてディスクに記録されているデータを読み取ることによって記録特性を判別するようにすることもできる。
ステップＳＴ４では、サーボ制御部２７や記録信号処理部３３，レーザ駆動部３４，モータ駆動部３５等の動作を制御して、装置識別情報やパワーキャリブレーション情報をディスク１０に記録させる。このように装置識別情報をディスク１０に記録させることで、既に使用したディスクであるか否かを正しく識別することが可能となる。
パワーキャリブレーション情報は、上述したようにパワーキャリブレーション処理を行ったときの種々の情報を用いて生成したものであり、例えばパワーキャリブレーション処理を行った日付や時間、パワーキャリブレーション処理を行ったときのレーザ光出力素子の使用積算時間、ディスク１０あるいはディスク１０の近傍の温度ＴＭａや光ピックアップ２５の温度ＴＭｂ、内周側のレーザ出力設定値ＣＬＡと外周側のレーザ出力設定値ＣＬＦ、レーザ光出力素子に関する情報等を用いるものとする。
この装置識別情報やパワーキャリブレーション情報は、ディスク１０の所定の領域、例えば試し書き領域Ａや外周領域Ｆに記録する。なお、記録領域はこれらの領域に限られるものではなく、例えばプログラム領域に予め所定領域を割り当てておき、この領域に記録するものとしてもよい。このように記録する領域を決めておけば、装置識別情報やパワーキャリブレーション情報を速やかに読み出すことができる。また、装置識別情報やパワーキャリブレーション情報の記録位置を管理できれば、ディスク上の空き領域のいずれの位置に記録しても良いことは勿論である。
ステップＳＴ５では、内周側のレーザ出力設定値ＣＬＡと外周側のレーザ出力設定値ＣＬＦから算出したディスク径方向の各位置におけるレーザ出力設定値ＣＬを、信号の記録位置に応じてレーザ駆動部３４に供給して、このレーザ出力設定値ＣＬに基づいたレーザ光出力で、プログラム領域Ｄへの信号記録を行う。ここで、信号の記録位置は、ディスク１０にウォーブルやピット等で設けられているアドレス情報を読み取ることで容易に判別できる。また、光ピックアップ２５の径方向の位置に応じて、対応するレーザ出力設定値ＣＬをレーザ駆動部３４に供給するものとしても良い。
また、信号の記録中に光ピックアップ２５の温度が変化すると、レーザ光の出力やレーザ光の波長が変化し、ディスク１０に対する記録特性が変化することになる。また、ディスク１０の温度が変化しても記録特性が変化する。このため制御部４０は、センサ信号ＴＳａ，ＴＳｂに基づいてレーザ出力設定値ＣＬを補正する。このようにレーザ出力設定値ＣＬを補正することで、信号の記録動作を最適なレーザ光出力で続けて行うことができる。
さらに、記録動作の終了時に信号の記録位置等を示す情報データ等をバッファ領域Ｂやリードイン領域Ｃに記録すれば、この記録した情報データを利用して、次の記録動作を開始させる位置の設定を容易に行うことができる。
ディスク１０が既に使用されている場合、ディスク１０には、上述のステップＳＴ４で装置識別情報やパワーキャリブレーション情報が記録されていることとなる。このため、ステップＳＴ１からステップＳＴ６に進み、ディスク１０に記録されている装置識別情報やパワーキャリブレーション情報を読み出してステップＳＴ７に進む。
ステップＳＴ７では、読み出した装置識別情報が、このディスク１０を用いる光記録装置の装置識別情報と一致するか否かを識別する。ここで、既に使用したディスクであるときには、装置識別情報が一致することからステップＳＴ８に進む。また、ディスク１０が既に他の光記録装置で用いられていたときには、他の光記録装置に割り当てられた装置識別情報が記録されている。このため、読み出した装置識別情報と光記録装置の装置識別情報が一致しないこととなり、ステップＳＴ７からステップＳＴ２に進んでパワーキャリブレーション処理を再度行い、ディスク１０を用いる光記録装置に応じたレーザ出力設定値を判別する。
ステップＳＴ８では、パワーキャリブレーション情報が情報有効条件を満たすか否かを判別する。ここで、情報有効条件を満たすときにはステップＳＴ９に進み、満たさないときにはステップＳＴ２に戻る。
この情報有効条件は、上述したようにレーザ光の出力変化が所望の範囲内となるように設定したものである。ここで、情報有効条件としては、レーザ光素子の劣化によるレーザ光の出力変化を所望の範囲内とするため、例えばパワーキャリブレーション処理を行った日からの経過日数、パワーキャリブレーション処理を行ったときのレーザ光出力素子の使用積算時間と現在の使用積算時間との積算時間差等について条件を設定する。また、温度によるレーザ光の出力変化を所望の範囲内とするため、例えばパワーキャリブレーション処理を行ったときの温度と現在の温度との温度差等について条件を設定する。さらに、レーザ光出力素子の特性の違いを考慮した条件設定、例えばレーザ光出力素子の固有特性に基づいて使用温度の閾値Ｈｔｈ（例えば、基準値Ｈｒｅ，レーザ光出力素子の固有特性ｋ，定数Ｍとしたとき、Ｈｔｈ＝Ｈｒｅ＋ｋＭ）等を用いるものとする。なお、パワーキャリブレーション処理を行った日やパワーキャリブレーション処理を行ったときのレーザ光出力素子の使用積算時間、パワーキャリブレーション処理を行ったときの温度等の情報は、パワーキャリブレーション情報に含まれているものである。
ここで、経過日数や積算時間差が所定値を超えてしまったり、温度差が所定範囲をこえてしまったとき、あるいは使用温度の閾値を超えてしまったときには、情報有効条件を満たさない、すなわちレーザ光の出力変化が所望の範囲を超えてしまうおそれがあるためステップＳＴ２に進み、レーザ出力設定値の再設定を行ってから信号の記録を行うように各部を制御する。また、経過日数や積算時間差が所定値を超えていないとともに温度差は所定範囲であり、さらに使用温度の閾値を超えていないときには情報有効条件を満たす、すなわちレーザ光の出力変化が所望の範囲内であるとしてステップＳＴ９に進む。
このように、ステップＳＴ８の処理を設けることで、情報有効条件を満たさなくなったときは、キャリブレーション処理が自動的に行われるので、レーザ光の出力を最適な状態として記録動作を行うことができる。例えば、レーザ出力設定値ＣＬＡ，ＣＬＦに基づいてレーザ光の出力を設定しても、レーザ光出力素子の出力特性が変化したことにより出力が低下してしまうようなときは、キャリブレーション処理が自動的に行われる。このため、レーザ光の出力が小さい状態でディスク１０に対する信号の記録が行われてしまうことを未然に防止して、最適な出力で信号の記録を行うことができる。
また、信号記録時におけるレーザ光の出力変化に対する余裕度が高いディスクを用いるときや、レーザ光の出力の変動が少ないレーザ光出力素子を用いるときは、時間の経過や温度変化に伴ってパワーキャリブレーション処理を行わなくとも良好に信号を記録できることから、このようなときには、ステップＳＴ８の処理を省略するものとしても良い。
ステップＳＴ９では、上述のステップＳＴ４でディスク１０に記録した内周側のレーザ出力設定値ＣＬＡと外周側のレーザ出力設定値ＣＬＦを読み出すとともに、メモリ４２に記憶させてステップＳＴ１０に進む。
ステップＳＴ１０では、メモリ４２に記憶されている内周側のレーザ出力設定値ＣＬＡと外周側のレーザ出力設定値ＣＬＦから、ステップＳＴ３と同様にしてディスク１０の径方向における各位置のレーザ出力設定値ＣＬを算出する。その後、ステップＳＴ５に進み、信号の記録位置に応じたレーザ出力設定値ＣＬをレーザ駆動部３４に供給して信号の記録を行う。
このように、ディスク１０に装置識別情報が記録されていないとき、あるいは装置識別情報が光記録装置の装置識別情報と異なるとき、制御部４０はディスク１０の使用実績がないと識別してパワーキャリブレーション処理を行ってから信号の記録を行う。また、装置識別情報が光記録装置の装置識別情報と一致するときには、ディスク１０の使用実績があると識別して、ディスク１０に記録されているパワーキャリブレーション情報のレーザ出力設定値を利用して信号の記録を行う。
このため、ディスク１０を光記録装置２０に装着してパワーキャリブレーション処理を予め行っておくものとすれば、その後ディスクを使用する際に、このディスクに記録されている情報を利用して速やかに記録動作が開始されて、信号記録開始までの待ち時間を大幅に短縮できる。また、待ち時間を短くできることから、パワーキャリブレーション処理中に供給された信号を保持するバッファメモリ等を設ける必要がなく、光記録装置を安価に構成できる。さらに、光記録装置の使用に伴いレーザ光出力素子の特性が変化したり、使用温度が異なる環境等で使用されて、レーザ光の出力変化が所望の範囲よりも大きくなるおそれがあるときには、パワーキャリブレーション処理が再度行われて、レーザ出力設定値の最適化が行われるので、常に信号を最適な状態で記録することができる。
ところで、上述の実施の形態では、識別情報やパワーキャリブレーション情報をディスク１０に記録するものとしたが、これらの情報を光記録装置２０で記憶するものとしても、同様な動作を行うことができる。次に、第２の形態として、これらの情報を光記録装置２０に記憶させる場合を図４のフローチャートを用いて説明する。
制御部４０は、ステップＳＴ２１で、光記録装置２０のメモリ４２に記録媒体識別情報が記録されているか否かを識別する。ここで、ディスク１０を最初に使用するときには、このディスクの記録媒体識別情報が記憶されていないことからステップＳＴ２２に進む。
ステップＳＴ２２では、上述のステップＳＴ２と同様にしてパワーキャリブレーション処理を行い、最適化されたレーザ出力設定値を有したパワーキャリブレーション情報を生成する。このパワーキャリブレーション情報は、上述のステップＳＴ４と同様に構成する。次のステップＳＴ２３では、記録媒体識別情報とパワーキャリブレーション情報を対応させてメモリ４２に記憶させる。このように記録媒体識別情報を用いることで、使用実績のあるディスクであるか否かを正しく識別できる。
ステップＳＴ２４では、内周側のレーザ出力設定値ＣＬＡと外周側のレーザ出力設定値ＣＬＦから、ディスク１０の径方向における各位置のレーザ出力設定値ＣＬを算出する。ステップＳＴ２５では、ステップＳＴ５と同様に、内周側のレーザ出力設定値ＣＬＡと外周側のレーザ出力設定値ＣＬＦから算出したディスク径方向の各位置におけるレーザ出力設定値ＣＬを、信号の記録位置に応じてレーザ駆動部３４に供給して、プログラム領域Ｄへの信号記録を行う。なお、ステップＳＴ２５においても、信号の記録位置等の判別やレーザ出力設定値ＣＬの補正をステップＳＴ５と同様に行うことができる。
既にディスク１０を使用している場合、メモリ４２には上述のステップＳＴ２３によって記録媒体識別情報とパワーキャリブレーション情報が記録される。このため、ステップＳＴ２１からステップＳＴ２６に進む。
ステップＳＴ２６では、ディスク１０に記録されている記録媒体識別情報を読み出してステップＳＴ２７に進む。
ステップＳＴ２７では、光記録装置２０のメモリ４２に記憶している記録媒体識別情報がディスクから読み出した記録媒体識別情報と一致するから否かを識別する。ここで、既に使用したディスクであるときには、一致する記録媒体識別情報がメモリ４２に記憶されていることからステップＳＴ２８に進む。また、使用したことのないディスクであるときには、このディスクの記録媒体識別情報がメモリ４２に記憶されていないことからステップＳＴ２２に進み、パワーキャリブレーション処理を行う。その後、記録媒体識別情報とパワーキャリブレーション情報を対応させてメモリ４２に記憶させる処理や、各位置でのレーザ出力設定値ＣＬの算出や、算出したレーザ出力設定値ＣＬでの信号記録を行う。
ステップＳＴ２８では、ステップＳＴ２７で一致すると判別された記録媒体識別情報と対応させて記憶されているパワーキャリブレーション情報を読み出してステップＳＴ２９に進む。
ステップＳＴ２９では、上述のステップＳＴ８と同様にパワーキャリブレーション情報が情報有効条件を満たすか否かを判別する。ここで、情報有効条件を満たすときにはステップＳＴ３０に進み、満たさないときにはステップＳＴ２２に戻る。なお、ステップＳＴ２９の処理は、ステップＳＴ８と同様に省略することも可能である。
ステップＳＴ３０では、読み出したパワーキャリブレーション情報から内周側のレーザ出力設定値ＣＬＡと外周側のレーザ出力設定値ＣＬＦを抽出してステップＳＴ２４に進み、内周側のレーザ出力設定値ＣＬＡと外周側のレーザ出力設定値ＣＬＦから、ディスク１０の径方向における各位置のレーザ出力設定値ＣＬを算出する。さらにステップＳＴ２５では、この算出したレーザ出力設定値ＣＬに基づいたレーザ光の出力で信号記録を行う。
このように、光記録装置２０のメモリ４２に記録媒体識別情報が記録されていないとき、あるいは記憶されている記録媒体識別情報がディスクに記録されている記録媒体識別情報と異なるときには、使用実績がないと識別してパワーキャリブレーション処理を行ってから信号の記録を行う。また、記憶している記録媒体識別情報がディスクに記録されている記録媒体識別情報と一致するときには、使用実績があると識別して、この一致する記録媒体識別情報と対応させてメモリ４２に記憶されているパワーキャリブレーション情報のレーザ出力設定値ＣＬＡ，ＣＬＦを利用して信号の記録を行う。
このため、ディスク１０を光記録装置２０に装着してパワーキャリブレーション処理を予め行っておくものとすれば、その後ディスクを使用する際に、メモリに記憶されている情報を利用して速やかに記録動作が開始されるため、信号記録開始までの待ち時間を大幅に短縮できる。また、待ち時間を短くできることから、パワーキャリブレーション処理中に供給された信号を保持するバッファメモリ等を設ける必要がなく、光記録装置を安価に構成できる。さらに、光記録装置の使用に伴いレーザ光出力素子の特性が変化したり、使用温度が異なる環境等で使用されて、レーザ光の出力変化が所望の範囲よりも大きくなるおそれがあるときには、パワーキャリブレーション処理が再度行われて、レーザ出力設定値の最適化が行われるので、常に信号を最適な状態で記録することができる。
なお、上述の実施の形態では、光ディスクを用いる場合について説明したが、光記録媒体はレーザ光を用いて記録を行うものであれば、例えばカード型の光記録媒体等であっても良いことは勿論である。
【産業上の利用可能性】  この発明は、既に生成されているパワーキャリブレーション情報を利用して、速やかにレーザ光の出力を最適な状態とすることができるので、リムーバブルな記録媒体を用いる光記録装置に適している。
【図１】
2004019324.tif 000003
【図２】
2004019324.tif 000004
【図３】
2004019324.tif 000005
【図４】
2004019324.tif 000006
【国際調査報告】
2004019324.tif 000007
2004019324.tif 000008
2004019324.tif 000009
2004019324.tif 000010